(57)【特許請求の範囲】
【請求項１】
フェース面の高さが２０〜３０ｍｍとなるヘッドを備えたゴルフ用のパターにおいて、
前記フェース面は、ソール側フェース面、及び、トップ側フェース面を備えており、
前記ソール側フェース面のロフト角をα１、トップ側フェース面のロフト角をα２とした場合、α１＜α２、かつ、１°≦α１であり、
前記ソール側フェース面の高さは、１５ｍｍ以上であり、
前記ソール側フェース面の打球位置の近傍にマーキングを付したことを特徴とするゴルフ用のパター。
【請求項２】
前記マーキングは、縦方向線を有することを特徴とする請求項１に記載のゴルフ用パター。
【請求項３】
前記縦方向線は、前記打球位置の両側に対称となるように設けられていることを特徴とする請求項２に記載のゴルフ用パター。
【請求項４】
前記マーキングは、横方向線を有することを特徴とする請求項１から３のいずれか１項に記載のゴルフ用パター。
【請求項５】
前記横方向線は、縦方向に一定間隔をおいて複数本設けられていることを特徴とする請求項４に記載のゴルフ用パター。
【請求項６】
前記横方向線は、フェース面に形成される溝であることを特徴とする請求項４又は５に記載のゴルフ用パター。
【請求項７】
前記マーキングは色彩が付されていることを特徴とする請求項１から６のいずれか１項に記載のゴルフ用パター。
【請求項８】
前記α１は、α１≦５°、α２は、５°≦α２≦１０°であることを特徴とする請求項１から７のいずれか１項に記載のゴルフ用パター。
【発明の詳細な説明】
【技術分野】
【０００１】
本発明は、ゴルフをする際、グリーンで使用されるパターに関し、詳細には、打球がなされるフェース面にマーキングを施したゴルフ用パターに関する。
【背景技術】
【０００２】
従来、ゴルフ用パターは、打球する際の指標となるようにマーキングを付すことが知られている。マーキングは、打球後のボールを、プレーヤが捉えたライン（ボールがカップまで転がってカップインするとプレーヤが感覚的に捉えたライン）に載せるのに役立つようにパターのヘッドに設けられるものであり、一般的には、例えば、特許文献１に開示されているように、ヘッドのトップ側（ヘッドの上面）にフェース面と直交したラインを付したものや、このようなラインをバック側等に付したものが知られている。或いは、このようなマーキングが付されていないパターであれば、プレーヤは、フェース部分を規定する上下のエッジ（トウ・ヒール方向に延びるエッジ）やフェース面に設けられた溝を見て方向性を出すことが行われている。すなわち、上記したようなマーキング、或いは上下のエッジや溝については、プレーヤがアドレスして、思い描いたライン上にボールが載るようにパッティングをする上で重要となる。
【０００３】
なお、マーキングについては、打球点とボールの位置が最も近接するフェース面に設けておくことも考えられるが、一般的にパターのフェース面のロフト角は小さく（１０°以下であり、通常は、３〜４°程度）、アドレスしたときに見にくいことから、上記したようにヘッドの上面等に設けることが一般的である。
【先行技術文献】
【特許文献】
【０００４】
【特許文献１】特開２００６−３２６２１６号
【発明の概要】
【発明が解決しようとする課題】
【０００５】
上記したように、パターのヘッド部分に設けられるマーキングは、パッティングしたボールをライン上に載せる上での指標とされる。このようなマーキングについては、打球する瞬間に、プレーヤにボールの位置と方向性を意識させることが重要と考えられるため、打球がなされるフェース面に設けておくことが好ましいと考えられるが、上記したように、パターのロフト角は小さいことから、フェース面にマーキングを付してもそれをプレーヤに視認させることは困難である。
【０００６】
本発明は、上記した問題に基づいてなされたものであり、フェース面に付された打球の方向性の指針となるマーキングをプレーヤに見易くしたゴルフ用パターを提供することを目的とする。
【課題を解決するための手段】
【０００７】
上記した課題を解決するために、本発明に係るゴルフ用パターは、フェース面の高さが２０〜３０ｍｍとなるヘッドを備えており、前記フェース面は、ソール側フェース面、及び、トップ側フェース面を備えており、前記ソール側フェース面のロフト角をα１、トップ側フェース面のロフト角をα２とした場合、α１＜α２、かつ、１°≦α１であり、前記ソール側フェース面の高さは、１５ｍｍ以上であり、前記ソール側フェース面の打球位置の近傍にマーキングを付したことを特徴とする。
【０００８】
上記した構成のゴルフ用パターによれば、フェース面を複数の面で構成し、トップ側フェース面のロフト角α２を、ソール側フェース面のロフト角α１よりも大きく形成したことで、プレーヤがアドレスした際、視認する上でトップ側のフェース面が妨げになることは無く、ソール側フェース面が視認し易くなり、したがって、ソール側フェース面の打球位置近傍に付されたマーキングを視認しながら打球することができる。すなわち、プレーヤに対しては、打球する瞬間にボールの位置と、マーキングによるヘッドの適正な方向性を意識させることができるため、打球したボールの方向性の向上が図れる。
【０００９】
なお、上記した構成において、打球位置とは、そのパターにおいて理想となる打球位置（スイートスポット）を意味しており、マーキングは、そのような位置をプレーヤに意識させるように、その近傍（スイートスポット上も含む）に付されるものである。また、上記した構成において、ソール側フェース面、及び、トップ側フェース面は、平坦面に限らず、多少湾曲した面を含んでいても良い。さらに、それぞれのフェース面のロフト角については、アドレス時にソール側フェース面が視認し易いように、１°≦α１≦５°、５°≦α２≦１０°であることが好ましい。
【発明の効果】
【００１０】
本発明のゴルフ用パターによれば、フェース面に付された打球の方向性の指針となるマーキングがプレーヤに見易くなり、打球の方向性の向上が図れるようになる。
【図面の簡単な説明】
【００１１】
【図１】本発明に係るゴルフ用パターの一実施形態を示す正面図。
【図２】図１に示すゴルフ用パターのヘッド部分の側面図。
【図３】図１に示すゴルフ用パターのヘッド部分の斜視図。
【図４】図１に示すゴルフ用パターのヘッド部分の平面図。
【図５】図３に示すフェースに付されたマーキングを正面から見た拡大図。
【図６】（ａ）は、アドレスした際、ボールを真上から見ている目の位置（正しい位置）と斜めから見ている目の位置（誤った位置）を概略的に示す図、（ｂ）は、正しい目線で見たときのマーキングの見え方を示す図、（ｃ）は、誤った位置から見たときのマーキングの見え方を示す図。
【図７】（ａ）は、フェースに付されるマーキングの別の例を正面から見た拡大図、（ｂ）は、誤った位置から見たときのマーキングの見え方を示す図。
【図８】本発明の第２実施例を示す図であり、ヘッド部分の側面図。
【図９】図８のフェースに付されたマーキングを正面から見た拡大図。
【発明を実施するための形態】
【００１２】
図１から図５は、本発明に係るゴルフ用パター（以下、パターと称する）の第１の実施形態を示す図であり、図１は正面図、図２は図１に示すゴルフ用パターのヘッド部分の側面図、図３は図１に示すゴルフ用パターのヘッド部分の斜視図、図４は図１に示すゴルフ用パターのヘッド部分の平面図、そして、図５は図３に示すフェースに付されたマーキングを正面から見た拡大図である。
【００１３】
パター１は、基端側にグリップ５ａが取着されたシャフト５と、シャフト５の先端に取着されたヘッド１０とを備えている。前記シャフト５は、金属や繊維強化製樹脂によって構成されており、ヘッド１０は、例えば、ステンレス合金、アルミニウム合金、鉄等の金属材料を鍛造や鋳造等によって所定の形状となるように一体形成することで構成されている。この場合、ヘッドは、単一構造であっても良いし、複数の部材を組み合わせた構造であっても良い。
【００１４】
前記ヘッド１０を構成するヘッド本体１０Ａは、打球がなされるフェース面（パッテイング面）１１を備えており、フェース面は、ヘッド本体とは異なる素材のインサート構造のものであっても良い。それ以外にも、トップ部１２、ソール部１３、及びバック部１４を備えている。本実施形態のヘッド本体１０Ａは、トップ部１２が平面視で長方形状となる平坦面１２ａに形成され、ソール部１３が、それよりもフェース・バック方向の長さが長い平面視で長方形状となる平坦面１３ａに形成されている。この場合、ソール部１３は、トウ側とヒール側が上昇するように、トウ・ヒール方向に沿って湾曲していても良い。また、バック部１４は段部を有しており、トップ部１２及びソール部１３を構成する平坦面と平行となる長方形状の平坦面１４ａを備えている。
【００１５】
上記したようなヘッド本体１０Ａでは、そのトップ部１２のフェース・バック方向の稜線（フェース側稜線１２Ａとバック側稜線１２Ｂ）が、スイング時にヘッドの進行方向と直交することから、方向性を出す上での基準とすることが可能となる。また、ソール部１３のフェース側稜線１３Ａについても、後述するロフト角α１，α２の関係で視認し易い状態となっているため、方向性を出す上での基準とすることが可能となる。さらに、バック部１４の後端の稜線１４Ａについても、スイング時にヘッドの進行方向と直交することから、方向性を出す上での基準とすることが可能となる。
【００１６】
なお、本発明では、ヘッド本体のフェース面の構成に特徴があり、それ例外の構成については限定されることはない。例えば、ヘッド本体の形状（トップ部、ソール部、バック部の各形状）や、シャフトのヘッド本体に対する装着方法等は限定されることはない。また、本実施形態のヘッド本体１０Ａは、図３及び図４に示すように、ソール部から垂直方向に延びるトウ部１５及びヒール部１６を備えているが、これらは他の部位と一体化されて面一状に連続形成されたものであっても良い。勿論、トップ部及びバック部におけるトウ側の稜線１２Ｃ、及び、ヒール側の稜線１２Ｄについても、ヘッドの進行方向と一致するように構成することで、方向性を出す上での基準とすることが可能となる。
【００１７】
前記ヘッド本体は、プレーヤに違和感を生じさせないように、フェース面１１の高さＨが２０〜３０ｍｍとなるように形成することが好ましく、フェース面１１は、ソール側フェース面１１Ａ、及び、トップ側フェース面１１Ｂを備えている。それぞれのフェース面１１Ａ，１１Ｂは、ロフト角（図２に示すように、水平面Ｐに垂線を引いた際の垂線に対するフェース面の角度）が異なるように形成されており、それぞれのロフト角をα１、α２とした場合、α１＜α２となるように形成されている。すなわち、フェース面１１は、複数の面を備えており、ソール側フェース面１１Ａとトップ側フェース面１１Ｂとの境界部分には、ロフト角が変化することによる稜線１１Ｃが形成されている。
【００１８】
上記した構成において、ヘッド本体１０Ａは、実際に打球がされる面がソール側フェース面１１Ａとなるように形成されており、ヘッド本体のスイートスポット（打球する際にヘッド本体がぶれ難い位置であり、ヘッド本体の重心位置からフェース面に垂線を引いた位置；打球位置とも称する）Ｓは、稜線１１Ｃの下側に存在している。ここで、ソール側フェース面１１Ａの高さＨ１は、１５ｍｍ以上となるように形成されている。この場合、高さＨ１を２０ｍｍ以上としたのは、ゴルフボールＢの直径は、ルール上、直径が１．６８インチ（４２．６７２ｍｍ）以上と定められており、ボールのヒッティングポイント（ボールの中心Ｃから最もフェース面側となる位置）Ｐ１の高さは、その半径である２１．３３６ｍｍとなる。実際には、ゴルフボールＢは、グリーンの芝により多少沈むこと、及び、プレーヤは、通常、接地面から１〜５ｍｍ程度、ヘッド本体を浮かせてスイングする（パッティングする）ことから、ソール側フェース面１１Ａの高さ（上下方向の長さ）Ｈ１を最低でも１５ｍｍ確保しておけば、打球時に、稜線１１Ｃよりも下側の位置でボールのヒッティングポイントＰ１を打球させることができる。
【００１９】
なお、ソール側フェース面１１Ａの高さＨ１を１５ｍｍ未満に設定すると、プレーヤはヘッド本体をある程度浮かせた状態でスイングしないとソール側フェース面１１Ａにヒットしないため好ましくはない。また、トップ側フェース面１１Ｂの高さ（上下方向の長さ）をＨ２とした場合、プレーヤに対して打球面を広く見せるように、Ｈ１≧Ｈ２となるように形成することが好ましい。
【００２０】
そして、前記ソール側フェース面１１Ａのスイートスポット（打球位置）Ｓの近傍にはマーキング２０が付されている。  
本実施形態のマーキング２０は、上記したスイートスポットＳを横切るように付された１本の横方向線２１と、横方向線２１の両端で垂直下方に延びる２本の縦方向線２３ａ，２３ｂとを備えており、この範囲内の領域をプレーヤに対して打球の目標となる位置（スイートエリア）として認識させるようにしている。
【００２１】
上記した横方向線２１は、スイートスポットＳを中心として、両側の長さが等しくなるように設けられており、その長さＷ１は、１０〜３０ｍｍ程度となるように付されている。すなわち、ボールのヒッティングポイントＰ１が、この範囲内にあれば、打球時にヘッド本体のトウ側及びヒール側がぶれることはなく、正確にボールを打ち出すことが可能となる。この場合、横方向の長さＷ１は、視認性を良くするために、１０ｍｍ以上にすることが好ましい。
【００２２】
また、上記した２本の縦方向線２３ａ，２３ｂは、スイートスポットＳの両側に対称となるように設けられている。すなわち、横方向線２１が上記のようにスイートスポットＳを中心として、両側の長さが等しくなるように形成されていることから、２本の縦方向線２３ａ，２３ｂをそれぞれ横方向線２１に対して直交する方向に垂下させることで、スイートスポットＳ（この点を通る仮想中心線Ｘ）に対して線対称の縦方向のマーキングが付された状態となる。この場合、縦方向線２３ａ，２３ｂは、稜線１１Ｃを跨ぐことなく付すことが好ましく（トップ側フェース面と干渉させない）、その縦方向の長さＨ３についても、上記したソール側フェース面１１Ａの高さＨ１以下にすることが好ましい。
【００２３】
上記した構成のパター１によれば、トップ側フェース面１１Ｂのロフト角α２が、ソール側フェース面１１Ａのロフト角α１よりも大きく形成されているため、プレーヤがアドレスした際、トップ側のフェース面１１Ｂが妨げになることは無く、ソール側フェース面１１Ａが視認し易くなる。このため、ソール側フェース面１１Ａに付された上記のマーキング２０は、図４で示すように、プレーヤはアドレス時に視認することができ、これにより、ソール側フェース面１１Ａの打球位置近傍に付されたマーキング２０を視認しながら打球することができる。すなわち、プレーヤは、打球する瞬間にボールの位置と、マーキングによるヘッドの適正な方向性（打球に至るまでの適正な方向性）を意識することができるため、打球したボールの方向性の向上が図れる。
【００２４】
また、上記したように、縦方向線２３ａ，２３ｂは、スイートスポットＳに対して線対称となるように付されているため、プレーヤの視点を常に理想となる位置に位置付けさせることが可能となる。具体的には、図６（ａ）に示すように、パター１を持ってアドレスした際に、ボールを真上から見る位置（適切な位置）をＥ１、真上でない位置をＥ２とすると、適切な位置Ｅ１でソール側フェース面１１Ａに付されたマーキングを視認すると、図６（ｂ）に示すように、縦方向線２３ａ，２３ｂは横方向線２１に対して直交する方向に延びるように見えるが、真上でない位置Ｅ２で視認すると、図６（ｃ）に示すように、縦方向線２３ａ，２３ｂは横方向線２１に対して斜向する方向（縦方向線２３ａ，２３ｂの下端が図の矢印方向に傾いた方向）に延びるように見えることから、アドレス時においてプレーヤに適切なアイポイントを意識させることが可能となる。
【００２５】
上記した縦方向線２３ａ，２３ｂについては、横方向線２１に対して直交する方向でなくても良い。例えば、図７（ａ）に示すように、ソール側に移行するに連れて、互いに離反するような対称線（ハの字状対称線）２３ａ´，２３ｂ´としても良い。このような対称線によれば、真上でない位置でボールを視認すると、図７（ｂ）に示すように、一方の縦方向線２３ａ´と他方の縦方向線２３ｂ´が対称に見えなくなる（いびつな形状に見える）ことから、上記同様、アドレス時においてプレーヤに適切なアイポイントを意識させることが可能となる。なお、対称線２３ａ´，２３ｂ´については、逆ハの字状となるように付しても良い。
【００２６】
上述したソール側フェース面１１Ａに付されるマーキング２０については、その付し方を種々変更することが可能である。例えば、図３に示す横方向線２１のみを付したものであっても良い。このような横方向線２１のみでも、トウ・ヒール方向におけるスイートエリアの幅を視認させることができると共に、ヘッド本体の進行方向と直交する方向に延びることから、ヘッドの進行方向を合せることが可能となる。また、フェース面１１を規定する上下の稜線（前記フェース側稜線１２Ａ，１３Ａ）、及び、ソール側フェース面１１Ａとトップ側フェース面１１Ｂとの境界となる稜線１１Ｃも、図４に示すように、横方向線２１と共に平行となって視認できることから、ヘッドの進行方向を合せ易くなる。
【００２７】
また、横方向線については、図８及び図９に示すように、縦方向に一定間隔をおいて複数本（２１ａ，２１ｂ，２１ｃ）設けておくことが好ましい。  
このように複数本設けておくことで、ソール側フェース面１１Ａにロフト角α１が存在することで、上方から視認した際、これらが単一のマーキング（ヘッドの進行方向に多少幅広となったマーキング）となって視認することができ、ヘッドの進行方向をより合せ易くすることができる。
【００２８】
また、マーキング２０については、縦方向線のみを付したものであっても良く、縦方向線は１本でも良いし複数本であっても良い。この場合、１本のみ設けるのであれば、前記スイートスポットＳを通る（仮想中心線と一致する）ように設けることで、具体的な打球位置を認識させることができる。すなわち、上記したトウ・ヒール方向に延出する稜線によって進行方向を合せながら１本の縦方向線を意識して打球位置を認識させることができる。また、縦方向線が２本以上であれば、偶数本の場合、上記したように、仮想中心線に対して対称位置に付与すれば良く、奇数本の場合は、１本を仮想中心線の位置に付与し、他は、その仮想中心線に対して対称となる位置に付与すれば良い。
【００２９】
上記のように、ソール側フェース面に設けられるマーキングについては、縦方向線のみでも、打球位置を認識させることができ、また、複数本設けることで、打球の目標位置となるスイートエリアを認識させることが可能となる。
【００３０】
前記マーキング２０については、アドレスしたプレーヤが視認できるように付与されたものであれば良く、例えば、突状に形成したり凹状（溝）に形成することが可能である。また、印刷や塗装によって色彩を付したり（着色する）、フェース面を仕上げる際、マスキングを施して表面仕上げ（研磨、切削）を行なっても良い。マーキングとして色彩を付す場合は、アドレス時にプレーヤが視認し易いように、明度が高い色（白色系の色）や、赤色系の色など目立ち易い色を付すことが好ましい。また、マーキングとして突部や溝を形成した場合、これらの部分に色彩を付す構成であっても良い。
【００３１】
図８及び図９に示したマーキングは、複数の横方向線２１ａ，２１ｂ，２１ｃで構成しおり、スイートスポットを通る横方向線２１ａについては、溝としている。このような溝に対して色彩を付す場合、少なくとも溝を規定する４つの内側壁、及び、底壁の内、少なくとも上方から見た際に、視認されるソール側の内側壁２１ａ１に付しておくことが好ましい。
【００３２】
また、マーキングとして溝を形成する場合、その深さが０．２ｍｍ以上あれば、色彩を付した際に色落ちがし難くすることができる。また、そのマーキングとなる溝の幅については、加工し易さ等を考慮して、０．３〜２．０ｍｍ程度に形成することが好ましい。
【００３３】
図８及び図９に示す横方向線では、スイートスポットを通る横方向線２１ａのみを溝で形成しているが、他の横方向線２１ｂ，２１ｃも溝で形成しても良い。このように、マーキングを溝構造として、その内部に色彩を塗布すると、色彩が消えにくくなるため、長期に亘って、マーキングを安定して維持することが可能となる。また、３本の横方向線については、仮想中心線Ｘに対し線対称となっていれば良く、３本の長さは同一でなくても良い。
【００３４】
上記したマーキング２０は、ロフト角α１が小さいソール側フェース面１１Ａに形成されており、そのマーキング２０が視認し易いように、フェース面の上方側の面（トップ側フェース面１１Ｂ）については、ロフト角α２を大きくしている。この場合、一般的なパターとの間で違和感が生じないように、本発明における複合面で構成されるフェース面のロフト角についても１０°以下となるように設定しておくことが好ましく、ソール側フェース面のロフトα１については、１°≦α１≦５°、トップ側のロフト角α２については、ソール側フェース面が視認し易いように、５°≦α２≦１０°の範囲で設定しておくことが好ましい。或いは、ロフト角α１については、５°以上８°以下に設定しても良く、このようにロフト角α１を大きくした場合、ロフト角α２については、ロフト角α１よりも大きく、１０°以下に設定しておけば良い。
【００３５】
また、上記した構成において、ソール側フェース面、及び、トップ側フェース面は、平坦面に限らず、多少湾曲した面を含んでいても良いし、さらに、別のロフト角となる平坦面を含んでいても良い。さらに、マーキングについては、ソール側フェース面に形成されたものであれば良く、一部がトップ側フェース面に設けられていても良い。例えば、トップ側フェース面１１Ｂの下端（稜線１１Ｃを跨いでいても良い）に設けても良い。
【００３６】
以上、本発明の実施形態について説明したが、本発明は、パターのヘッド本体のフェース面の構造に特徴があり、それ以外の構成については、様々な態様で構成することが可能である。
【符号の説明】
【００３７】
１  パター
５  シャフト
１０  ヘッド
１０Ａ  ヘッド本体
１１  フェース面
１１Ａ  ソール側フェース面
１１Ｂ  トップ側フェース面
２０  マーキング
２１，２１ａ，２１ｂ，２１ｃ  横方向線
２３ａ，２３ｂ  縦方向線
【図１】
0006527097.tif 000002
【図２】
0006527097.tif 000003
【図３】
0006527097.tif 000004
【図４】
0006527097.tif 000005
【図５】
0006527097.tif 000006
【図６】
0006527097.tif 000007
【図７】
0006527097.tif 000008
【図８】
0006527097.tif 000009
【図９】
0006527097.tif 000010